(57)【要約】  人体の存在の有無を検出し、検出値を出力するセンサー２と、センサー２の検出値を周期的にサンプリングして、サンプリングした検出値に基づいて人体の存在の有無を判定するための判定値を算出し、判定値に基づいて人体が不在と判定した場合、表示モードから少なくとも画像表示部の表示を停止する省電力モードへ移行させる制御部４と、を備え、制御部４は、省電力モードへ移行後は、判定に用いる前記判定値の算出方法を、前記表示モードのときと変更する、ことを特徴とする。
2014162553.tif 000002
【特許請求の範囲】
【請求項１】
人体の存在の有無を検出し、検出値を出力するセンサーと、
前記センサーの検出値を周期的にサンプリングして、サンプリングした検出値に基づいて前記人体の存在の有無を判定するための判定値を算出し、前記判定値に基づいて人体が不在と判定した場合、表示モードから少なくとも画像表示部の表示を停止する省電力モードへ移行させる制御部と、
を備え、
前記制御部は、前記省電力モードへ移行後は、判定に用いる前記判定値の算出方法を、前記表示モードのときと変更する、
ことを特徴とする画像表示装置。
【請求項２】
前記制御部は、前記表示モードから前記省電力モードへ移行後は、所定の時間が経過するまでは、前記検出値のサンプリングを停止することを特徴とする請求項１に記載の画像表示装置。
【請求項３】
前記制御部は、
前記センサーによる検出値を、サンプリング時点の検出値を含み、前記サンプリング時点の検出値から過去に遡った所定個数の連続した検出値を積算して、積算後の検出値を前記所定個数により除算して移動平均値を算出する移動平均値算出部と、
前記サンプリング時点の検出値から前記移動平均値を減算して人体の存在の有無の判定に用いる判定値を算出する判定値算出部と、
前記判定値と予め設定された判定閾値とを比較して、前記判定値が前記判定閾値より大きいと、前記人体が存在すると判定し、前記画像表示部を表示状態とする表示モードへ移行させる比較判定部と、を有し、
前記移動平均値算出部は、前記省電力モードへ移行後、前記センサーによる検出値の最初のサンプリングでは積算を行なわずにサンプリング時点の前記検出値を前記移動平均値として算出し、２回目以降のサンプリングでは前記所定個数より少ない個数の前記検出値に対して前記移動平均値の算出を行う、
ことを特徴とする請求項１または請求項２いずれかに記載の画像表示装置。
【請求項４】
前記比較判定部が、所定のサンプリング回数の期間、前記判定値が前記判定閾値以下であると判定した場合、前記省電力モードへ移行する、
ことを特徴とする請求項３に記載の画像表示装置。
【請求項５】
前記移動平均値算出部は、前記省電力モードへ移行後、前記移動平均値の算出を、前記センサーによる検出値が予め設定された検出閾値以下となるまで行い、検出閾値以下となると前記所定個数での移動平均値の算出を行う、
ことを特徴とする請求項３または請求項４いずれかに記載の画像表示装置。
【請求項６】
前記センサーは、人体が発する赤外線を検出する赤外線検出型のセンサーである、
ことを特徴とする請求項１から請求項５いずれか一項に記載の画像表示装置。
【請求項７】
人体の存在の有無を検出し、検出値を出力するセンサーと、
前記センサーの検出値を周期的にサンプリングして、サンプリングした検出値に基づいて前記人体の存在の有無を判定するための判定値を算出し、前記判定値に基づいて人体が不在と判定した場合、表示モードから少なくとも画像表示部の表示を停止する省電力モードへ移行させる制御部と、
を備えた画像表示装置の制御方法であって、
前記制御部が、前記省電力モードへ移行後は、判定に用いる前記判定値の算出方法を、前記表示モードのときと変更する、
ことを特徴とする制御方法。
【発明の詳細な説明】
【技術分野】
【０００１】
本発明は、人体の有無を検出するセンサーを搭載した画像表示装置及び制御方法に関する。
【背景技術】
【０００２】
画像表示装置において、赤外線検出型のセンサー（以降、センサーと呼ぶ。）を利用して、人体の発する赤外線を検知する人体検知システムを導入することが行われている（例えば、特許文献１参照）。この場合、人体を検知すると、画面を表示し、一方、一定時間中に人体の存在が検知できない場合、画面表示を自動的に消し、装置を省電力な状態（以降、パワーセーブモードと呼ぶ。）に切り替える、といった使い方が考えられる。
【先行技術文献】
【特許文献】
【０００３】
【特許文献１】特開２０１１−１７０７１２号公報
【発明の概要】
【発明が解決しようとする課題】
【０００４】
ところで、画像表示装置において、消費する電力のほとんどは、画像表示のためのバックライトや画像変換ＩＣ（Integrated Circuit）、バッファメモリなど、画面表示に関連する箇所で費やされる。そのため、パワーセーブモードに移行して画面が非表示状態となる画像表示装置においては、通常の画面表示状態と比べて、画像表示装置の電源がきわめて軽負荷の状態にある。【０００５】
従って、画像表示装置が通常の画面表示状態（以下、表示モードと呼ぶ。）からパワーセーブモードに変化するとき、装置に内蔵する電源負荷の急激な変化により、一時的な電源電圧の変動が発生する。これによって、画像表示装置が、センサー出力値の変換や増幅にオペアンプを用いているとき、画像表示装置の電源電圧の変動により、オペアンプの電源電圧が変化し、少なからずオペアンプの出力値に影響を与えてしまう場合がある。【０００６】
例えば、オペアンプの出力値が変動した結果、センサー値の変換値が異常値となり、人感センサーとして誤った判定をしてしまう場合があり、画像表示装置としては人体が検出されていないにもかかわらず、パワーセーブモードから表示モードへと復帰してしまう問題が発生する。【０００７】
このような問題を解決するため、パワーセーブモード時の負荷を表示モードに比べて軽くしないことも有効な解決手段である。ここで、画像表示装置のパワーセーブモードの主な目的として、装置の消費電力を抑えること、および、画像表示部の部品寿命を可能な限り延長することがあげられる。例えば、医用画像表示装置などについては、画像表示部の部品寿命を延ばすことが最重要の目的である場合がある。後者の画像表示部の部品寿命を可能な限り延長するという目的のみが達成できれば良い場合、パワーセーブモードでは画像表示部のみオフすることで負荷の変化を少なくすることができる。この解決手段では、表示モードに比べて負荷の変化が少なくなるため、電源電圧の変動を抑えることができる。しかしながら、パワーセーブモード時の消費電力があまり低くならないため、前者の装置の消費電力を下げるという問題を解決できない。【０００８】
そこで、解決しようとする問題点は、画像表示装置が表示モードから消費電力の十分低いパワーセーブモードへ移行し、画像表示装置の電源がきわめて軽負荷の状態になった場合に、電源電圧の急激な変化によりセンサーの検出値が急激に変化し、人体が検出されないにもかかわらず人体が有ると判定してしまう誤った判定をしてしまう、という点にある。
【課題を解決するための手段】
【０００９】
本発明の画像表示装置は、人体の存在の有無を検出し、検出値を出力するセンサーと、前記センサーの検出値を周期的にサンプリングして、サンプリングした検出値に基づいて前記人体の存在の有無を判定するための判定値を算出し、前記判定値に基づいて人体が不在と判定した場合、表示モードから少なくとも画像表示部の表示を停止する省電力モードへ移行させる制御部と、を備え、前記制御部は、前記省電力モードへ移行後は、判定に用いる前記判定値の算出方法を、前記表示モードのときと変更する、ことを特徴とする。【００１０】
また、本発明の制御方法は、人体の存在の有無を検出し、検出値を出力するセンサーと、前記センサーの検出値を周期的にサンプリングして、サンプリングした検出値に基づいて前記人体の存在の有無を判定するための判定値を算出し、前記判定値に基づいて人体が不在と判定した場合、表示モードから少なくとも画像表示部の表示を停止する省電力モードへ移行させる制御部と、を備えた画像表示装置の制御方法であって、前記制御部が、前記省電力モードへ移行後は、判定に用いる前記判定値の算出方法を、前記表示モードのときと変更する、ことを特徴とする。
【発明の効果】
【００１１】
本発明によれば、制御部は、省電力モード（パワーセーブモード）へ移行後は、判定に用いる判定値の算出方法を、表示モードのときと変更する。そのため、画像表示装置が消費電力の十分低いパワーセーブモードへ移行して画像表示装置の電源がきわめて軽負荷の状態になり、電源電圧の急激な変化によってセンサーの検出値が急激な変化をした場合であっても、判定に用いる判定値の算出方法を、表示モードのときと変更して、センサーの検出に対するフィルタリング処理を行うことができる。これにより、センサーの検出値の急激な変化によって、人体が検出されないにもかかわらず人体があると判定してしまうという誤った判定を防止することができる。
【図面の簡単な説明】
【００１２】
【図１】本発明装置の構成を表すブロック図である。
【図２】本発明装置に搭載する赤外線センサーの接続構成を表すブロック図である。
【図３】実施例でのセンサー検出結果を示す表である。
【図４】実施例のセンサー検出結果について、固定平均回数で判定式を算出した結果を表すグラフである。
【図５】実施例のセンサー検出結果について、移動平均回数を可変とする問題解決策を施した状態の結果を表すグラフである。
【図６】パワーセーブモードへ移行後、５秒後に人体が存在すると検出された場合の例におけるセンサー検出結果を示す表である。
【図７】図６のセンサー検出結果について、移動平均回数を可変とする問題解決策を施した状態の結果を表すグラフである。
【図８】本発明装置の他の実施形態の構成を表すブロック図である。
【発明を実施するための形態】
【００１３】
以下、本発明の一実施形態による電子機器システムについて図面を参照して説明する。図１は、本発明装置の構成を表すブロック図である。
図１に示すように、画像表示装置１はセンサー２、オペアンプＩＣ３、制御部４、電源ユニット５、画像表示部６、スケーリングＩＣ７、ＲＯＭ（Read Only Memory）８、及びＲＡＭ（Random Access Memory）を含んで構成される。
【００１４】
センサー２は、例えば人体が発する赤外線を検出する赤外線検出型のセンサーであり、人体の存在の有無を検出し、この検出値（電流値）をオペアンプＩＣ３に対して出力する。
オペアンプＩＣ３は、センサー２が出力する電流値を電圧に変換して増幅し、増幅結果を制御部４に対して出力する。
制御部４は、ＭＰＵ（Micro-Processing Unit）を含んで構成され、このＭＰＵにより、オペアンプＩＣ３により変換、及び増幅されたセンサー２の出力値を基にして、人体が発する赤外線を検出する。
【００１５】
図２は、本発明装置に搭載する赤外線センサーの接続構成を表すブロック図である。図２に示す様に、制御部４が有するＭＰＵ４０とセンサー２、オペアンプＩＣ３は接続され、ＭＰＵ４０はオペアンプＩＣ３のオフセット電圧を調節し、オペアンプＩＣ３により変換、及び増幅されたセンサー２の出力値（赤外線検出値）を、常にある目的の値（下記実施例では５００）となるように制御する。
【００１６】
図１に戻って、制御部４は、移動平均値算出部４１、判定値算出部４２、及び比較判定部４３を含んで構成される。制御部４は、これらの各部により、オペアンプＩＣ３により変換されたセンサー出力値の電圧値を定期的にサンプリングし、赤外線の検出値として判定に用いる（詳細は後述）。なお、これらの各部は、図２に示すＭＰＵ４０の内部の回路により構成されてもよいし、ＭＰＵ４０とは別のＩＣにより構成されてもよい。ここでは、ＭＰＵ４０の内部の回路として構成されているものとする。
【００１７】
スケーリングＩＣ７は、画像表示装置１に対するビデオ入力信号に対して、種々の変換を施し、画像表示部６に出力するＩＣ（Integrated Circuit）である。
電源ユニット５は、画像表示装置１が内蔵する内蔵電源であり、画像表示装置１の各部位に必要となる電源を生成し、これら各部位に供給する。制御部４は、この各部位への電源供給を制御する。制御部４は、比較判定部４３の判定結果に基づいて、電源ユニット５を制御し、パワーセーブモードへ移行すると、画像表示装置１の少なくとも画像表示部６への電源供給を停止させる。もちろん、画像表示部６以外の各部位への電源供給を停止させてもよい。
【００１８】
また、制御部４は、比較判定部４３の判定結果に基づいて、電源ユニット５を制御し、パワーセーブモードから画像表示部６を表示状態とする表示モードへ復帰すると、画像表示装置１の各部位への電源供給を開始させる。
【００１９】
画像表示部６は、スケーリングＩＣ７の出力信号に基づいて、画像表示装置１に対するビデオ入力信号を自己の表示部に表示する。
ＲＯＭ８は、センサー２の計測値やデータを記録することが可能な領域であり、例えば不揮発性のメモリにより構成される。
また、ＲＡＭ９は、制御部４が演算処理等の作業を行うための一時的な記憶領域であり、例えば揮発性のメモリにより構成される。
【００２０】
続いて、本実施形態における制御部４が行なう、人体の存在の有無を判定する処理について詳細に説明する。
ここで、制御部４がサンプリングした赤外線検出値から人体の存在の有無を推定する際の判定式を、説明のため簡略化したものが下記判定式である。
【００２１】
【数１】
2014162553.tif 000003
【００２２】
上記判定式において、Ｘは、人体の存在の有無の判定に用いる判定値を示しており、制御部４における判定値算出部４２が算出する判定値である。比較判定部４３は、この判定値Ｘを予め設定された判定閾値と比較し、比較結果に基づいて電源ユニット５の各部位への電源供給を制御する。
また、上記判定式において、ｎは、センサー２の出力値の雑音を除去し平滑化するため、赤外線検出値（オペアンプＩＣの出力値）を平均化する平均化回数を示している。この平均化回数は、制御部４における移動平均値算出部４１が移動平均値を算出する際の除数である。
また、Ａ０は、現在（サンプリング時点）の赤外線検出値を示し、Ａｎ−１は、現在から（ｎ−１）回過去にサンプリングした赤外線検出値を示している。
【００２３】
上記判定式の判定値Ｘの算出、及び判定値Ｘの判定などの演算処理は、上述した制御部４における各部（移動平均値算出部４１、判定値算出部４２、及び比較判定部４３）において実行される。
すなわち、移動平均値算出部４１（移動時平均算出部）は、オペアンプＩＣ３の出力値（センサー２による赤外線検出値）を、サンプリング時点の赤外線検出値を含み、サンプリング時点の検出値から過去に遡った所定個数の連続した検出値（ｎ個の検出値）を積算して、積算後の検出値を所定個数（平均化回数；ｎ）により除算して移動平均値（上記判定式の第２項）を算出する。
【００２４】
また、判定値算出部４２（判定値算出部）は、サンプリング時点の検出値（赤外線検出値Ａ０）から、移動平均値算出部４１が算出した移動平均値を減算して人体の存在の有無の判定に用いる判定値Ｘを算出する。
また、比較判定部４３は、判定値Ｘと予め設定された判定閾値とを比較して、判定値Ｘがこの判定閾値より大きいと、人体が存在すると判定し、画像表示部を表示状態とする表示モードへ移行させる。
【００２５】
なお、上記判定式の第２項（移動平均値算出部４１が算出する項）は、赤外線検出値の単純移動平均を表しており、検出値を平滑化し、含まれる雑音成分の除去を目的としている。よって、判定値算出部４２が算出する判定結果（判定値Ｘ）は、現在の検出値から雑音を除去した結果となる。そのため、移動平均の回数（上記平均化回数ｎ）を増やす毎に、より多くの雑音を許容し、誤検出を防ぐことができる。
【００２６】
本実施形態の画像表示装置１では、パワーセーブモード（省電力モード）へ移行後は、判定値の算出方法を変更する。以下では、まず、判定値の算出方法をパワーセーブモードへ移行後に変更しない場合の問題を説明し、その後、この問題を解決するため、判定値の算出方法をパワーセーブモードへ移行後に変更することについて説明する。
【００２７】
なお、以下の実施例では、判定式の移動平均値を求める際の平均化回数ｎは８回で計算することとし、センサー検出値の目標値は５００となるように調整している。また、判定式の算出結果（判定値Ｘ）が判定閾値８０をオーバーしたとき、人体があったと判定されることにする。
ここで、移動平均回数を８回とするのは、できるだけ検出精度をよくするためである。また、センサー検出値の目標値を５００としているのは、センサー２の検出値として０から１０２３までの範囲で値を処理するため、これらの中間の値であり、制御部４の演算処理を簡易に行うことができ、都合が良いためである。
【００２８】
まず、画像表示装置１について、判定値の算出方法をパワーセーブモードへ移行後に変更しない場合の問題について説明する。
図３は、実施例でのセンサー検出結果を示す表である。図３は、画像表示装置１がパワーセーブモードに移行した直後の赤外線検出値に問題が発生するとき、すなわち、電源ユニット５（画像表示装置１の電源）が、通常の画面表示状態（表示モード）から、パワーセーブモードへ移行した直後において軽負荷の状態になった状態での赤外線の検出値の傾向を示している。
【００２９】
ここで、図３に示す表において、ＭＰＵ４０による赤外線検出値のサンプリングは１秒間隔に行なわれるものとし（何番目のサンプリングであるかを縦方向にＮｏで示す）、各Ｎｏに対応するサンプリングでの赤外線検出値（オペアンプＩＣ３の出力）、及び画像表示装置１の状態を赤外線検出値の横に付記している。
【００３０】
また、図４は、実施例のセンサー検出結果について、固定平均回数で判定式を算出した結果を表すグラフである。すなわち、図４では、移動平均を求める際の移動平均回数は８回のまま、表示モードから変化しないものとした場合の判定値Ｘの値を縦方向に、図３のＮｏを横方向に示している。
【００３１】
判定値の算出方法を変更しない場合、図３に示す様に、パワーセーブモードへ移行した後、Ｎｏ１１において移動平均センサー検出値が大きく上昇しているのが分かる。このような結果では、画像表示装置１は、一度パワーセーブモードに移行するが、検出値の大きな変化から、パワーセーブモードからすぐに復帰してしまう問題が発生する。すなわち、画像表示装置１は、センサー２が人体を検出しないにも係らず、制御部４が、この検出値の大きな変化により、人体があるものとして、パワーセーブモードから表示モードへ復帰してしまうという問題が生じる。
【００３２】
図４を参照すると、移動平均値算出部４１は、移動平均回数を８回と表示モードと同じく固定して移動平均値を求める。また、判定値算出部４２は、サンプリング時点の赤外線検出値Ａ０から、移動平均値を減算して人体の存在の有無の判定に用いる判定値Ｘ（図４に示す）を算出する。
【００３３】
判定値算出部４２が算出する判定値Ｘは、図４に示すＮｏ１１においてＸ＝８００−（５０７＋５０３＋５０７＋５０５＋５０２＋５０８＋５１０＋８００）／８＝２５７となる。また、判定値Ｘは、Ｎｏ＝１２においてＸ＝７５０−（５０３＋５０７＋５０５＋５０２＋５０８＋５１０＋８００＋７５０）／８＝１７７となる。また、判定値Ｘは、Ｎｏ＝１３においてＸ＝７１０−（５０７＋５０５＋５０２＋５０８＋５１０＋８００＋７５０＋７１０）／８＝１１１となる。
これにより、比較判定部４３は、判定値Ｘと予め設定された判定閾値（ここでは８０）とを比較して、Ｎｏ１１において判定値Ｘがこの判定閾値８０より大きいので、図３に示すＮｏ１２において、人体が存在すると判定し、画像表示装置１を表示モードへと移行させる。なお、図３のＮｏ１３以降に示す様に、復帰後の赤外線検出値は、ＭＰＵ４０によるオペアンプＩＣ３のオフセット電圧調節により緩やかに目標の赤外線検出値である５００へ収束していく。
【００３４】
このように、判定値の算出方法を変更しない場合、パワーセーブモードへ移行後、制御部４が、人体が存在すると誤判定する問題が発生してしまう。また、誤判定の結果、再び制御部４が表示モードへと移行させるため、人体が不在でありパワーセーブモードにより低消費電力を達成しなければならないにもかかわらず、低消費電力化を達成できないという問題も発生してしまう。
【００３５】
この問題の解決策として、人体の不在を検出した瞬間からセンサー検出値が安定値に戻るまで、判定を行わない方法が考えられる。すなわち、人体の不在を検出し省電力モードに移行する際の電源電圧の変動期間は、人体の存在の有無を判定しないことによって誤動作を防止することができる。しかしながら、この方法では一定期間の間、人体の検出ができなくなってしまうため、機能のレスポンスが悪くなってしまう。
【００３６】
そこで、移動平均値算出部４１は、人体の存在の有無を推定する際の判定式について、パワーセーブモード移行後でそれまでの移動平均の積算をリセットし、改めて平均の算出を開始するという構成をとる。また、検出値が安定するまで判定式の移動平均回数を減らす構成をとることで、人体の存在の有無の検出の判定を緩くすることができる。この方法であれば、センサー２の検出値を無視する必要が無く、人体の有無の検出が不可能な時間はほぼないと考えることができる。
【００３７】
図５は、実施例のセンサー検出結果について、移動平均回数を可変とする問題解決策を施した状態の結果を表すグラフである。図５は、図３の実施例におけるセンサー検出値について、パワーセーブモード移行後に平均の算出をリセットし、移動平均回数を２回にした対策を施したときの結果（判定値Ｘ）を示している。
【００３８】
すなわち、移動平均値算出部４１は、省電力モードへ移行後、センサー２による検出値の最初のサンプリングでは（図５に示すＮｏ１１において）積算を行なわずにサンプリング時点の検出値を移動平均値として算出する。つまり、移動平均値算出部４１は、上記判定式においてｎ＝１とし、Ａ０を算出する。また、判定値算出部４２は、判定値ＸとしてＸ＝Ａ０−Ａ０＝０を算出する。
【００３９】
また、移動平均値算出部４１は、２回目以降のサンプリングでは（図３に示すＮｏ１２以降において）所定個数（８個）より少ない個数（ここでは２個）の検出値に対して移動平均値の算出を行う。なお、判定値算出部４２は、判定値Ｘとして、移動平均値算出部４１の算出値から現在の赤外線検出値Ａ０を除算して判定値Ｘを算出する。
【００４０】
判定値算出部４２が算出する判定値Ｘは、図５に示すＮｏ１２においてＸ＝７５０−（７５０＋８００）／２＝−２５、Ｎｏ１３においてＸ＝７１０−（７５０＋７１０）／２＝−２０、Ｎｏ１４においてＸ＝６７０−（６７０＋７１０）／２＝−２０、・・・となる。
比較判定部４３は、判定値Ｘと予め設定された判定閾値８０とを比較して、判定値Ｘがこの判定閾値８０に達しないので、人体が存在すると誤判定することなく、画像表示装置１を表示モードへと移行させることを防ぐことができる。
【００４１】
つまり、図５に示す判定値Ｘでは、図４に示す無対策の固定回数による移動平均の場合の判定値Ｘに比べて、図３に示す赤外線検出値の突出した変動が明らかに抑えられ、判定値Ｘが判定閾値８０を超えず、比較判定部４３が、人体が存在しないにもかかわらず人体が存在するという誤った判定をしないことが分かる。この比較判定部４３による判定結果であれば、画像表示装置１がパワーセーブモード移行後、電源電圧の変動により直ぐに表示モードに戻ってしまう問題が発生しない。
【００４２】
また、このようなパワーセーブモードへ移行後に、実際に人体が存在する場合、制御部４は速やかに画像表示装置１をパワーセーブモードへ移行させる。この点について、以下に説明する。
図６は、パワーセーブモードへ移行後、５秒後に人体が存在すると検出された場合の例におけるセンサー検出結果を示す表である。また、図７は、図６のセンサー検出結果について、移動平均回数を可変とする問題解決策を施した状態の結果を表すグラフである。これら図６、及び図７は、それぞれ図３、及び図５に対応する図である。
【００４３】
図６に示す様に、パワーセーブモードへ移行した後、図３と同様、Ｎｏ１１において移動平均センサー検出値が大きく上昇する。しかし、移動平均値算出部４１は、省電力モードへ移行後、センサー２による検出値の最初のサンプリングでは（図６に示すＮｏ１１において）積算を行なわずにサンプリング時点の検出値を移動平均値として算出する。つまり、移動平均値算出部４１は、上記判定式においてｎ＝１とし、Ａ０を算出する。また、判定値算出部４２は、判定値ＸとしてＸ＝Ａ０−Ａ０＝０を算出する。
【００４４】
また、移動平均値算出部４１は、２回目以降のサンプリングでは（図３に示すＮｏ１２以降において）所定個数（８個）より少ない個数（ここでは２個）の検出値に対して移動平均値の算出を行う。なお、判定値算出部４２は、判定値Ｘとして、移動平均値算出部４１の算出値から現在の赤外線検出値Ａ０を除算して判定値Ｘを算出する。
【００４５】
比較判定部４３は、判定値Ｘと予め設定された判定閾値８０とを比較して、判定値Ｘがこの判定閾値８０に達しないので、人体が存在すると誤判定することなく、画像表示装置１を表示モードへと移行させることを防ぐことができる（図６、及び図７に示すＮｏ１２〜Ｎｏ１４のサンプリング期間）。
【００４６】
図６に示すＮｏ１５において、例えば人体が画像表示装置１に近づくことにより、赤外線検出値が９００へと大きく変化する。このとき、移動平均値算出部４１における平均化回数は、パワーセーブモード移行後であるので２回のままであり、判定値算出部４２が算出する判定値Ｘは、Ｘ＝９００−（９００＋６７０）／２＝１１５となる（図７に示すＮｏ１５のサンプリング）。すなわち、判定値Ｘが判定閾値８０を超えるので、比較判定部４３は、人体が存在すると正しく判定し、画像表示装置１を表示モードへ正常に復帰させる。
【００４７】
つまり、画像表示装置１の制御部４において、判定閾値８０を超える判定値Ｘの変化が確認できており、画像表示装置１がパワーセーブモードへ移行した後であっても、速やかに人体の存在の有無の検出を可能としている。
【００４８】
以上説明したように、本発明の画像表示装置１（画像表示装置）は、センサー２（人体の存在の有無を検出し、検出値を出力するセンサー）と、サンプリングした検出値に基づいて前記人体の存在の有無を判定するための判定値を算出し、判定値に基づいて人体が不在と判定した場合、表示モードから少なくとも画像表示部の表示を停止する省電力モードへ移行させる制御部４と、を備える。
【００４９】
この画像表示装置において、制御部４は、表示モードから省電力モードへ移行後は、所定の時間が経過するまでは、検出値のサンプリングを停止することを特徴とする。
【００５０】
これにより、本発明によれば、制御部４は、省電力モード（パワーセーブモード）へ移行後は、判定に用いる判定値の算出方法を、表示モードのときと変更する。そのため、画像表示装置１が消費電力の十分低いパワーセーブモードへ移行して画像表示装置１の電源ユニット５がきわめて軽負荷の状態になり、電源電圧の急激な変化によってセンサー２の検出値が急激な変化をした場合であっても、判定に用いる判定値の算出方法を、表示モードのときと変更して、センサー２の検出に対するフィルタリング処理を行うことができる。これにより、センサー２の検出値の急激な変化によって、人体が検出されないにもかかわらず人体があると判定してしまうという誤った判定を防止することができる。
【００５１】
なお、制御部４（制御部）は、上述の様に、移動平均値算出部４１、判定値算出部４２、及び比較判定部４３を含んで構成される。移動平均値算出部４１は、センサー２による検出値を、サンプリング時点の検出値（実施例ではＡ０）を含み、サンプリング時点の検出値から過去に遡った所定個数（実施例では８個）の連続した検出値を積算して、積算後の検出値を所定個数により除算して移動平均値を算出する。また、判定値算出部４２は、サンプリング時点の検出値から移動平均値を減算して人体の存在の有無の判定に用いる判定値（実施例では判定値Ｘ）を算出する。また、比較判定部４３は、判定値と予め設定された判定閾値（実施例では８０）とを比較して、判定値が判定閾値より大きいと、人体が存在すると判定し、画像表示部を表示状態とする表示モードへ移行させる。
【００５２】
このうち、移動平均値算出部４１は、表示モードからパワーセーブモード（省電力モード）へ移行後、センサー２による検出値の最初のサンプリングでは積算を行なわずにサンプリング時点の検出値を移動平均値として算出し、２回目以降のサンプリングでは所定個数より少ない個数（実施例では２個）の検出値に対して移動平均値の算出を行う。
【００５３】
また、上記実施形態において、パワーセーブモードへ移行する前の表示モードにおける制御部４の制御について、以下の構成としてよい。すなわち、比較判定部４３は、所定のサンプリング回数の期間、判定値Ｘが判定閾値以下であると判定した場合、省電力モードへ移行する、構成としてもよい。
【００５４】
また、移動平均値算出部４１が、省電力モードへ移行後、移動平均値の算出を、センサー２による検出値が予め設定された検出閾値（例えば図６でのＮｏ２０とＮｏ２１との赤外線検出値の間をとって６５０）以下となるまで行い、検出閾値以下となると所定個数（本実施形態では８個）での移動平均値の算出を行う、構成としてもよい。
【００５５】
また、センサー２は、人体が発する赤外線を検出する赤外線検出型のセンサー以外にも、人感センサーとして人間の存在の有無を検出するためのセンサーであれば、赤外線以外にも、超音波、可視光などが用いられる人感センサーであってもよい。
【００５６】
次に、本発明の他の実施形態について説明する。図８は、本発明装置の他の実施形態の構成を表すブロック図である。なお、図１と同一の部分には同一の符号を付し、その説明を省略する。
図８に示す様に、画像表示装置１は、センサー２と、制御部４と、を備える。センサー２は、人体の存在の有無を検出し、検出値を出力するセンサーである。また、制御部４は、センサー２の検出値を周期的にサンプリングして、サンプリングした検出値に基づいて人体の存在の有無を判定するための判定値を算出し、判定値に基づいて人体が不在と判定した場合、表示モードから少なくとも画像表示部の表示を停止する省電力モードへ移行させる制御を行なう。この制御部４は、制御部は、省電力モードへ移行後は、判定に用いる判定値の算出方法を、前記表示モードのときと変更する。
【符号の説明】
【００５７】
１  画像表示装置
２  センサー
３  オペアンプＩＣ
４  制御部
５  電源ユニット
６  画像表示部
７  スケーリングＩＣ
８  ＲＯＭ
９  ＲＡＭ
４０  ＭＰＵ
４１  移動平均値算出部
４２  判定値算出部
４３  比較判定部
【図１】
2014162553.tif 000004
【図２】
2014162553.tif 000005
【図３】
2014162553.tif 000006
【図４】
2014162553.tif 000007
【図５】
2014162553.tif 000008
【図６】
2014162553.tif 000009
【図７】
2014162553.tif 000010
【図８】
2014162553.tif 000011
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
人体の存在の有無を検出し、検出値を出力するセンサーと、
前記センサーの検出値を周期的にサンプリングして、サンプリングした検出値に基づいて前記人体の存在の有無を判定するための判定値を算出し、前記判定値に基づいて人体が不在と判定した場合、表示モードから少なくとも画像表示部の表示を停止する省電力モードへ移行させる制御部と、
を備え、
前記制御部は、
前記センサーによる検出値を、サンプリング時点の検出値を含み、前記サンプリング時点の検出値から過去に遡った所定個数の連続した検出値を積算して、積算後の検出値を前記所定個数により除算して移動平均値を算出する移動平均値算出部と、
前記サンプリング時点の検出値から前記移動平均値を減算して人体の存在の有無の判定に用いる判定値を算出する判定値算出部と、
前記判定値と予め設定された判定閾値とを比較して、前記判定値が前記判定閾値より大きいと、前記人体が存在すると判定し、前記画像表示部を表示状態とする表示モードへ移行させる比較判定部と、を有し、
前記移動平均値算出部は、前記省電力モードへ移行後、前記センサーによる検出値の最初のサンプリングでは積算を行なわずにサンプリング時点の前記検出値を前記移動平均値として算出し、２回目以降のサンプリングでは前記所定個数より少ない個数の前記検出値に対して前記移動平均値の算出を行い、
前記省電力モードへ移行後は、判定に用いる前記判定値の算出方法を、前記表示モードのときと変更する、
ことを特徴とする画像表示装置。
【請求項２】
前記比較判定部が、所定のサンプリング回数の期間、前記判定値が前記判定閾値以下であると判定した場合、前記省電力モードへ移行する、
ことを特徴とする請求項１に記載の画像表示装置。
【請求項３】
前記移動平均値算出部は、前記省電力モードへ移行後、前記移動平均値の算出を、前記センサーによる検出値が予め設定された検出閾値以下となるまで行い、検出閾値以下となると前記所定個数での移動平均値の算出を行う、
ことを特徴とする請求項１または請求項２に記載の画像表示装置。
【請求項４】
前記制御部は、前記表示モードから前記省電力モードへ移行後は、所定の時間が経過するまでは、前記検出値のサンプリングを停止することを特徴とする請求項１から請求項３いずれか一項に記載の画像表示装置。
【請求項５】
前記センサーは、人体が発する赤外線を検出する赤外線検出型のセンサーである、
ことを特徴とする請求項１から請求項４いずれか一項に記載の画像表示装置。
【請求項６】
人体の存在の有無を検出し、検出値を出力するセンサーと、
前記センサーの検出値を周期的にサンプリングして、サンプリングした検出値に基づいて前記人体の存在の有無を判定するための判定値を算出し、前記判定値に基づいて人体が不在と判定した場合、表示モードから少なくとも画像表示部の表示を停止する省電力モードへ移行させる制御部と、
を備えた画像表示装置の制御方法であって、
前記制御部の移動平均値算出部が、
前記センサーによる検出値を、サンプリング時点の検出値を含み、前記サンプリング時点の検出値から過去に遡った所定個数の連続した検出値を積算して、積算後の検出値を前記所定個数により除算して移動平均値を算出し、
前記制御部の判定値算出部が、
前記サンプリング時点の検出値から前記移動平均値を減算して人体の存在の有無の判定に用いる判定値を算出し、
前記制御部の比較判定部が、
前記判定値と予め設定された判定閾値とを比較して、前記判定値が前記判定閾値より大きいと、前記人体が存在すると判定し、前記画像表示部を表示状態とする表示モードへ移行させ、
前記制御部の前記移動平均値算出部は、前記省電力モードへ移行後、前記センサーによる検出値の最初のサンプリングでは積算を行なわずにサンプリング時点の前記検出値を前記移動平均値として算出し、２回目以降のサンプリングでは前記所定個数より少ない個数の前記検出値に対して前記移動平均値の算出を行い、
前記省電力モードへ移行後は、判定に用いる前記判定値の算出方法を、前記表示モードのときと変更する、
ことを特徴とする制御方法。
【手続補正２】
【補正対象書類名】明細書
【補正対象項目名】０００９
【補正方法】変更
【補正の内容】
【０００９】
本発明の画像表示装置は、人体の存在の有無を検出し、検出値を出力するセンサーと、前記センサーの検出値を周期的にサンプリングして、サンプリングした検出値に基づいて前記人体の存在の有無を判定するための判定値を算出し、前記判定値に基づいて人体が不在と判定した場合、表示モードから少なくとも画像表示部の表示を停止する省電力モードへ移行させる制御部と、を備え、前記制御部は、前記センサーによる検出値を、サンプリング時点の検出値を含み、前記サンプリング時点の検出値から過去に遡った所定個数の連続した検出値を積算して、積算後の検出値を前記所定個数により除算して移動平均値を算出する移動平均値算出部と、前記サンプリング時点の検出値から前記移動平均値を減算して人体の存在の有無の判定に用いる判定値を算出する判定値算出部と、前記判定値と予め設定された判定閾値とを比較して、前記判定値が前記判定閾値より大きいと、前記人体が存在すると判定し、前記画像表示部を表示状態とする表示モードへ移行させる比較判定部と、を有し、前記移動平均値算出部は、前記省電力モードへ移行後、前記センサーによる検出値の最初のサンプリングでは積算を行なわずにサンプリング時点の前記検出値を前記移動平均値として算出し、２回目以降のサンプリングでは前記所定個数より少ない個数の前記検出値に対して前記移動平均値の算出を行い、前記省電力モードへ移行後は、判定に用いる前記判定値の算出方法を、前記表示モードのときと変更する、ことを特徴とする。
【手続補正３】
【補正対象書類名】明細書
【補正対象項目名】００１０
【補正方法】変更
【補正の内容】
【００１０】
また、本発明の制御方法は、人体の存在の有無を検出し、検出値を出力するセンサーと、前記センサーの検出値を周期的にサンプリングして、サンプリングした検出値に基づいて前記人体の存在の有無を判定するための判定値を算出し、前記判定値に基づいて人体が不在と判定した場合、表示モードから少なくとも画像表示部の表示を停止する省電力モードへ移行させる制御部と、を備えた画像表示装置の制御方法であって、前記制御部の移動平均値算出部が、前記センサーによる検出値を、サンプリング時点の検出値を含み、前記サンプリング時点の検出値から過去に遡った所定個数の連続した検出値を積算して、積算後の検出値を前記所定個数により除算して移動平均値を算出し、前記制御部の判定値算出部が、前記サンプリング時点の検出値から前記移動平均値を減算して人体の存在の有無の判定に用いる判定値を算出し、前記制御部の比較判定部が、前記判定値と予め設定された判定閾値とを比較して、前記判定値が前記判定閾値より大きいと、前記人体が存在すると判定し、前記画像表示部を表示状態とする表示モードへ移行させ、前記制御部の前記移動平均値算出部は、前記省電力モードへ移行後、前記センサーによる検出値の最初のサンプリングでは積算を行なわずにサンプリング時点の前記検出値を前記移動平均値として算出し、２回目以降のサンプリングでは前記所定個数より少ない個数の前記検出値に対して前記移動平均値の算出を行い、前記省電力モードへ移行後は、判定に用いる前記判定値の算出方法を、前記表示モードのときと変更する、ことを特徴とする。
【国際調査報告】
2014162553.tif 000012
2014162553.tif 000013
2014162553.tif 000014